(57)【要約】【課題】設置場所の状況に応じて姿勢を変えて取り付けることができ、しかも取付姿勢に拘わらず良好な光コネクタ着脱作業性を得ることができる、取付部材を備えた光コネクタ配列ケースを提供する。【解決手段】光コネクタ配列ケース２５と、光コネクタ配列ケース２５を保持するケースホルダー３７と、固定板３９とからなる。固定板３９の上部には横方向に軸部５１が形成され、ケースホルダー３７の上面の背面側の縁に第一の軸受部６５が、一方の側面側の縁に第二の軸受部６７が形成されている。ケースホルダー３７は、その上面の背面側の縁に形成された第一の軸受部６５を固定板の軸部５１に係合させて往復回動できる状態と、その上面の一方の側面側に形成された第二の軸受部６７を固定板の軸部５１に係合させて往復回動できる状態とに取付可能となっている。【選択図】図１
2011248099.tif 000002
【特許請求の範囲】
【請求項１】
相手方光コネクタが接続される複数の光コネクタを、正面幅寸法及び高さ寸法よりも側面厚さ寸法が小さいケース本体の下端面に一列又は複数列に配列して保持した光コネクタ配列ケースと、
この光コネクタ配列ケースを着脱可能に保持するケースホルダーと、
前記光コネクタ配列ケースを取り付けるべき取付面にねじ止め又は接着等により固定される固定板とを備え、
前記固定板の上部には横方向に軸部又は軸受部が形成され、前記ケースホルダーの上面の背面側の縁及び一方の側面側の縁にはそれぞれ前記固定板の軸部又は軸受部と回動可能にかつ着脱可能に係合する軸受部又は軸部が形成され、
前記ケースホルダーは、その上面の背面側の縁に形成された軸受部又は軸部を、前記固定板の軸部又は軸受部に係合させて往復回動できる状態と、その上面の一方の側面側に形成された軸受部又は軸部を、前記固定板の軸部又は軸受部に係合させて往復回動できる状態とに取付可能となっていることを特徴とする取付部材を備えた光コネクタ配列ケース。
【請求項２】
相手方光コネクタが接続される複数の光コネクタを、正面幅寸法及び高さ寸法よりも側面厚さ寸法が小さいケース本体の下端面に一列又は複数列に配列して保持した光コネクタ配列ケースと、
この光コネクタ配列ケースを取り付けるべき取付面にねじ止め又は接着等により固定される固定板とを備え、
前記固定板の上部には横方向に軸部又は軸受部が形成され、前記ケース本体の上端面の背面側の縁及び一方の側面側の縁にはそれぞれ前記固定板の軸部又は軸受部と回動可能にかつ着脱可能に係合する軸受部又は軸部が形成され、
前記光コネクタ配列ケースのケース本体は、その上端面の背面側の縁に形成された軸受部又は軸部を、前記固定板の軸部又は軸受部に係合させて往復回動できる状態と、その上端面の一方の側面側に形成された軸受部又は軸部を、前記固定板の軸部又は軸受部に係合させて往復回動できる状態とに取付可能となっていることを特徴とする取付部材を備えた光コネクタ配列ケース。
【請求項３】
軸部は断面小判形であり、軸受部は断面小判形の軸部の長径部に相応する内径を有し、かつ断面小判形の軸部は通過できないが、短径部は通過できる幅の開口を有していることを特徴とする請求項１又は２記載の取付部材を備えた光コネクタ配列ケース。
【請求項４】
固定板の正面には固定板側係合部が形成され、ケースホルダーの背面及び一方の側面にはそれぞれ前記固定板に形成された固定板側係合部と着脱可能に係合するホルダー側係合部が形成され、
前記ケースホルダーは、その背面又は一方の側面に形成されたホルダー側係合部を、前記固定板に形成された固定板側係合部に係合させることで、固定板に仮止めできるようになっていることを特徴とする請求項１又は３記載の取付部材を備えた光コネクタ配列ケース。
【請求項５】
固定板の正面には固定板側係合部が形成され、ケース本体の背面及び一方の側面にはそれぞれ前記固定板に形成された固定板側係合部と着脱可能に係合するケース側係合部が形成され、
前記ケース本体は、その背面及び一方の側面に形成されたケース側係合部を、前記固定板に形成された固定板側係合部に係合させることで、固定板に仮止めできるようになっていることを特徴とする請求項２又は３記載の取付部材を備えた光コネクタ配列ケース。
【請求項６】
ケースホルダーの背面には、ケースホルダーを磁性金属板面に固定するための磁石が取り付けられ、かつその磁石表面よりも僅かに突出するように滑り止め用ゴム部品が複数箇所に取り付けられており、
一方、固定板の固定板側係合部とケースホルダーの背面のホルダー側係合部とは、それらを係合させたときに係合方向に遊びをもつように形成されており、この遊びにより、ケースホルダーの背面側に固定板を取り付けたときに固定板の背面が各ゴム部品の頂部を結ぶ平面よりも内側に入ったり外側に出たりすることができるようになっていることを特徴とする請求項４記載の取付部材を備えた光コネクタ配列ケース。
【請求項７】
ケース本体の背面には、ケース本体を磁性金属板面に固定するための磁石が取り付けられ、かつその磁石表面よりも僅かに突出するように滑り止め用ゴム部品が複数箇所に取り付けられており、
一方、固定板の固定板側係合部とケース本体の背面のケース側係合部とは、それらを係合させたときに係合方向に遊びをもつように形成されており、この遊びにより、ケース本体の背面側に固定板を取り付けたときに固定板の背面が各ゴム部品の頂部を結ぶ平面よりも内側に入ったり外側に出たりすることができるようになっていることを特徴とする請求項５記載の取付部材を備えた光コネクタ配列ケース。
【発明の詳細な説明】
【技術分野】
【０００１】
本発明は、集合住宅の共用配電盤の中などに設置される光コネクタ配列ケースに関し、特に設置場所の状況に応じて取付姿勢を変え、良好な光コネクタ着脱作業性を得ることができる、取付部材を備えた光コネクタ配列ケースに関するものである。
【背景技術】
【０００２】
集合住宅などで、加入者の増加に応じて光通信回線を順次開設していく場合には、図１６に示すように、当該集合住宅に引き込んだ局側光ケーブル１に局側光コネクタ３及び入力側光コネクタ５を介して（又は介さずに直接）光スプリッタ９の入力側光ファイバ心線７を接続し、この光スプリッタ９の複数本の出力側光ファイバ心線１１にそれぞれ待ち受け光コネクタ１３を取り付けておく。そして新規加入者が発生したときは、加入者側光ケーブル１７に取り付けた相手方光コネクタ１５を前記待ち受け光コネクタ１３に接続することで、光通信回線を開通させる、という手順がとられる。
【０００３】
なお、局側光コネクタ３と入力側光コネクタ５は、予め入力側光コネクタ５に取り付けられたコネクタアダプタ１９を介して接続され、待ち受け光コネクタ１３と相手方光コネクタ１５は、予め待ち受け光コネクタ１３に取り付けられたコネクタアダプタ２１を介して接続される。
【０００４】
このような光配線分配構造をとる場合、前記入力側光コネクタ５、入力側光ファイバ心線７、光スプリッタ９、出力側光ファイバ心線１１、待ち受け光コネクタ１３及びコネクタアダプタ１９、２１は、ケース本体２３に組み込まれて、光コネクタ配列ケース２５として構成される（特許文献１〜３参照）。待ち受け光コネクタ１３は通常、扁平なケース本体２３の端面に、相手方光コネクタ１５が接続できるように１列又は複数列に配列される。
【先行技術文献】
【特許文献】
【０００５】
【特許文献１】特開２００６−２０９１１８号公報
【特許文献２】特開２００７−１２１３９８号公報
【特許文献３】特開２００８−１２９１６６号公報
【発明の概要】
【発明が解決しようとする課題】
【０００６】
光スプリッタや待ち受け光コネクタなどをケース本体に組み込んだ光コネクタ配列ケースを、集合住宅などに設置する場合、光コネクタ配列ケースは既設の共用配電盤の中などに設置されることが多い。図１７にその一例を示す。図において、２７は集合住宅の壁、２９は壁２７に固定された配電盤のキャビネット、２９ａはキャビネット２９の開閉扉、３１はキャビネット２９の奥壁面２９ｂに固定された配電盤用の各種機器である。光コネクタ配列ケース２５は、このような配電盤の各種機器３１の間の狭いスペースに設置せざるを得ない場合が多い。
【０００７】
しかし、光コネクタ配列ケース２５は、設置後に新規加入者が発生する度に、待ち受け光コネクタに相手方光コネクタを接続する作業が必要となり、また保守点検作業や接続切替作業等も必要となるため、配電盤内の各種機器３１の間や片隅などの狭い所に設置されてしまうと、光コネクタの着脱作業が非常にやりにくくなるという問題がある。
【０００８】
本発明の目的は、設置場所の状況に応じて姿勢を変えて取り付けることができ、しかも取付姿勢に拘わらず良好な光コネクタ着脱作業性を得ることができる、取付部材を備えた光コネクタ配列ケースを提供することにある。
【課題を解決するための手段】
【０００９】
上記目的を達成するための、第一の発明は、
相手方光コネクタが接続される複数の光コネクタを、正面幅寸法及び高さ寸法よりも側面厚さ寸法が小さいケース本体の下端面に一列又は複数列に配列して保持した光コネクタ配列ケースと、
この光コネクタ配列ケースを着脱可能に保持するケースホルダーと、
前記光コネクタ配列ケースを取り付けるべき取付面にねじ止め又は接着等により固定される固定板とを備え、
前記固定板の上部には横方向に軸部又は軸受部が形成され、前記ケースホルダーの上面の背面側の縁及び一方の側面側の縁にはそれぞれ前記固定板の軸部又は軸受部と回動可能にかつ着脱可能に係合する軸受部又は軸部が形成され、
前記ケースホルダーは、その上面の背面側の縁に形成された軸受部又は軸部を、前記固定板の軸部又は軸受部に係合させて往復回動できる状態と、その上面の一方の側面側に形成された軸受部又は軸部を、前記固定板の軸部又は軸受部に係合させて往復回動できる状態とに取付可能となっていることを特徴とする取付部材を備えた光コネクタ配列ケースである。
【００１０】
上記目的を達成するための、第二の発明は、
相手方光コネクタが接続される複数の光コネクタを、正面幅寸法及び高さ寸法よりも側面厚さ寸法が小さいケース本体の下端面に一列又は複数列に配列して保持した光コネクタ配列ケースと、
この光コネクタ配列ケースを取り付けるべき取付面にねじ止め又は接着等により固定される固定板とを備え、
前記固定板の上部には横方向に軸部又は軸受部が形成され、前記ケース本体の上端面の背面側の縁及び一方の側面側の縁にはそれぞれ前記固定板の軸部又は軸受部と回動可能にかつ着脱可能に係合する軸受部又は軸部が形成され、
前記光コネクタ配列ケースのケース本体は、その上端面の背面側の縁に形成された軸受部又は軸部を、前記固定板の軸部又は軸受部に係合させて往復回動できる状態と、その上端面の一方の側面側に形成された軸受部又は軸部を、前記固定板の軸部又は軸受部に係合させて往復回動できる状態とに取付可能となっていることを特徴とする取付部材を備えた光コネクタ配列ケースである。
【００１１】
第三の発明は、前記第一の発明又は第二の発明において、軸部は断面小判形であり、軸受部は断面小判形の軸部の長径部に相応する内径を有し、かつ断面小判形の軸部は通過できないが、短径部は通過できる幅の開口を有していることを特徴とする取付部材を備えた光コネクタ配列ケースである。
【００１２】
第四の発明は、前記第一の発明又は第三の発明において、
固定板の正面には固定板側係合部が形成され、ケースホルダーの背面及び一方の側面にはそれぞれ前記固定板に形成された固定板側係合部と着脱可能に係合するホルダー側係合部が形成され、
前記ケースホルダーは、その背面又は一方の側面に形成されたホルダー側係合部を、前記固定板に形成された固定板側係合部に係合させることで、固定板に仮止めできるようになっていることを特徴とする取付部材を備えた光コネクタ配列ケースである。
【００１３】
第五の発明は、前記第二の発明又は第三の発明において、
固定板の正面には固定板側係合部が形成され、ケース本体の背面及び一方の側面にはそれぞれ前記固定板に形成された固定板側係合部と着脱可能に係合するケース側係合部が形成され、
前記ケース本体は、その背面及び一方の側面に形成されたケース側係合部を、前記固定板に形成された固定板側係合部に係合させることで、固定板に仮止めできるようになっていることを特徴とする取付部材を備えた光コネクタ配列ケースである。
【００１４】
第六の発明は、前記第四の発明において、
ケースホルダーの背面には、ケースホルダーを磁性金属板面に固定するための磁石が取り付けられ、かつその磁石表面よりも僅かに突出するように滑り止め用ゴム部品が複数箇所に取り付けられており、
一方、固定板の固定板側係合部とケースホルダーの背面のホルダー側係合部とは、それらを係合させたときに係合方向に遊びをもつように形成されており、この遊びにより、ケースホルダーの背面側に固定板を取り付けたときに固定板の背面が各ゴム部品の頂部を結ぶ平面よりも内側に入ったり外側に出たりすることができるようになっていることを特徴とする取付部材を備えた光コネクタ配列ケースである。
【００１５】
第七の発明は、前記第五の発明において、
ケース本体の背面には、ケース本体を磁性金属板面に固定するための磁石が取り付けられ、かつその磁石表面よりも僅かに突出するように滑り止め用ゴム部品が複数箇所に取り付けられており、
一方、固定板の固定板側係合部とケース本体の背面のケース側係合部とは、それらを係合させたときに係合方向に遊びをもつように形成されており、この遊びにより、ケース本体の背面側に固定板を取り付けたときに固定板の背面が各ゴム部品の頂部を結ぶ平面よりも内側に入ったり外側に出たりすることができるようになっていることを特徴とする取付部材を備えた光コネクタ配列ケースである。
【発明の効果】
【００１６】
第一の発明によれば、光コネクタ配列ケースを取り付けるべき取付面に固定板を固定して、ケースホルダーの上面の背面側の縁に形成された軸受部又は軸部を、固定板の軸部又は軸受部に係合させると、光コネクタ配列ケースを、正面が作業者側に向く姿勢で取り付けることができるので、設置スペースが広い所や、設置スペースが浅い（奥行きが狭い）所などへの取付に好適である。また、光コネクタ配列ケースを取り付けるべき取付面に固定板を固定して、ケースホルダーの上面の側面側の縁に形成された軸受部又は軸部を、固定板の軸部又は軸受部に係合させると、光コネクタ配列ケースを、側面が作業者側に向く（正面が横方向を向く）姿勢で取り付けることができるので、設置スペースが狭い所への取付に好適である。また、いずれの取付姿勢でも、光コネクタ配列ケースを軸部を中心に回動させて、光コネクタが配列されたケース本体下端面を作業者側に向けることができるので、光コネクタの着脱作業を容易に行うことができる。さらに、光コネクタ配列ケースをケースホルダーから取り外すことができるので、光コネクタ配列ケースを作業者の手元近くに引き寄せて、光コネクタの保守点検（光コネクタの清掃や線番確認など）を容易に行うことができる。
【００１７】
第二の発明は、ケースホルダーを使用することなく、光コネクタ配列ケースを固定板に直接取り付けるようになっていること以外は第一の発明と同様であるので、光コネクタ配列ケースの取り外しが面倒になること以外は第一の発明と同様な効果が得られる。また、ケースホルダーを使用しない分、コスト安である。
【００１８】
第三の発明によれば、軸部と軸受部が着脱可能であるので、光コネクタ配列ケースの取付姿勢の変更を容易に行うことができると共に、軸部は所定の角度（軸部の短径部が軸受部の開口を通過できる角度）以外では軸受部から外れないので、光コネクタ配列ケースの回動動作を安定して行うことができる。
【００１９】
また、第四の発明の場合はケースホルダーを、第五の発明の場合は光コネクタ配列ケースを、固定板側係合部とホルダー側係合部又はケース側係合部との係合により、固定板に仮止めできるので、光コネクタ配列ケースの自由な回動を制限することができ、光コネクタ着脱作業時以外は、光コネクタ配列ケースを所定の姿勢で安定に保持することができる。
【００２０】
また、第六の発明の場合はケースホルダーを、第七の発明の場合は光コネクタ配列ケースを、磁石によって磁性金属板よりなる取付面に取り付けることができると共に、ゴム部品が滑り止めとなって磁石による取付状態を安定させることができる。また固定板側係合部とホルダー側係合部又はケース側係合部の係合に遊びをもたせてあるので、磁石による取付を行うときは、固定板の背面が各ゴム部品の頂部を結ぶ平面よりも内側に入って、固定板をケースホルダー又はケース本体の裏面に取り付けたままで磁石による取付を行うことができ、固定板による取付を行うときは、固定板の背面が各ゴム部品の頂部を結ぶ平面よりも外側に出て、固定板の取付面への固定を確実に行うことができる。
【図面の簡単な説明】
【００２１】
【図１】本発明に係る取付部材を備えた光コネクタ配列ケースの一実施例を示す、（Ａ）は正面図、（Ｂ）は右側面図、（Ｃ）は平面図、（Ｄ）は底面図、（Ｅ）は左側面図、（Ｆ）は背面図。
【図２】図１に示した取付部材具備光コネクタ配列ケースの、光コネクタ着脱作業時の状態を示す、（Ａ）は正面図、（Ｂ）は右側面図。
【図３】図１に示した取付部材具備光コネクタ配列ケースを構成する光コネクタ配列ケースの、（Ａ）は正面図、（Ｂ）は左側面図、（Ｃ）は底面図。
【図４】図３に示す光コネクタ配列ケースの斜視図。
【図５】図１に示した取付部材具備光コネクタ配列ケースを構成する固定板の、（Ａ）は正面図、（Ｂ）は右側面図、（Ｃ）は平面図、（Ｄ）は底面図、（Ｅ）は背面図、（Ｆ）は斜視図。
【図６】図１に示した取付部材具備光コネクタ配列ケースを構成するケースホルダーの、（Ａ）は正面図、（Ｂ）は右側面図、（Ｃ）は平面図、（Ｄ）は底面図、（Ｅ）は背面図、（Ｆ）は斜視図。
【図７】図５に示した固定板に図６に示したケースホルダーを、（Ａ）は組み付ける前の状態を示す斜視図、（Ｂ）は組み付けた後の状態を示す斜視図。
【図８】図１に示した取付部材具備光コネクタ配列ケースの他の使用状態を示す、（Ａ）は正面図、（Ｂ）は右側面図、（Ｃ）は平面図、（Ｄ）は底面図、（Ｅ）は左側面図、（Ｆ）は背面図。
【図９】図８に示した取付部材具備光コネクタ配列ケースの、光コネクタ着脱作業時の状態を示す、（Ａ）は正面図、（Ｂ）は右側面図。
【図１０】図１に示した取付部材具備光コネクタ配列ケースの、固定板側係合部とケースホルダー側第一係合部を、（Ａ）は係合させる前の断面図、（Ｂ）は浅く係合させたときの断面図、（Ｃ）は深く係合させたときの断面図。
【図１１】（Ａ）〜（Ｃ）は、図１に示した取付部材具備光コネクタ配列ケースの、固定板の軸部にケースホルダーの軸受部を係合させる過程を示す断面図。
【図１２】本発明に係る取付部材を備えた光コネクタ配列ケースの他の実施例を示す、（Ａ）は正面図、（Ｂ）は右側面図、（Ｃ）は平面図、（Ｄ）は底面図、（Ｅ）は左側面図、（Ｆ）は背面図。
【図１３】図１２に示した取付部材具備光コネクタ配列ケースの、光コネクタ着脱作業時の状態を示す、（Ａ）は正面図、（Ｂ）は右側面図。
【図１４】図１２に示した取付部材具備光コネクタ配列ケースの他の使用状態を示す、（Ａ）は正面図、（Ｂ）は右側面図、（Ｃ）は平面図、（Ｄ）は底面図、（Ｅ）は左側面図、（Ｆ）は背面図。
【図１５】図１４に示した取付部材具備光コネクタ配列ケースの、光コネクタ着脱作業時の状態を示す、（Ａ）は正面図、（Ｂ）は右側面図。
【図１６】光コネクタ配列ケースの概略説明図。
【図１７】光コネクタ配列ケースを配電盤の中に設置した状態を上から見た説明図。
【発明を実施するための形態】
【００２２】
以下、本発明の実施例を図面を参照して詳細に説明する。
＜実施例１＞  図１及び図２は本発明に係る取付部材を備えた光コネクタ配列ケースの一実施例を示す。この取付部材具備光コネクタ配列ケースは、ケース本体の下端面に複数の光コネクタを配列した光コネクタ配列ケース２５と、この光コネクタ配列ケース２５を着脱可能に保持するケースホルダー３７と、キャビネット又は建築物などの壁面（取付面）４１にねじ止め等により固定される固定板３９とから構成されている。
【００２３】
光コネクタ配列ケース２５は、図１６の光コネクタ配列ケース２５と同様、ケース本体２３に、入力側光コネクタ５、入力側光ファイバ心線７、光スプリッタ９、出力側光ファイバ心線１１、待ち受け光コネクタ１３及びコネクタアダプタ１９、２１を組み込んだものである。ケース本体２３は正面幅寸法及び高さ寸法よりも側面厚さ寸法が小さい扁平な形をしている。
【００２４】
この実施例の光コネクタ配列ケース２５は、図３及び図４に示すように、待ち受け光コネクタ１３の先端に装着されたコネクタアダプタ２１が配列されるケース本体２３の下端面が、側面から見ると階段状に形成され、階段の段差面に相当する複数の下端面２３ａ、２３ｂにそれぞれ前記コネクタアダプタ２１が１列ずつ配列されている。コネクタアダプタ２１の下端はケース本体２３の下端面２３ａ、２３ｂから下向きに開口していて、相手方光コネクタ１５を待ち受け光コネクタ１３に接続するための接続口となっている。また、階段の踏み段面に相当するケース本体２３の正面壁は、２段目の下端面２３ｂに配列されたコネクタアダプタ２１に相手方光コネクタ２３を挿抜するときのコネクタスライド台４３となっている。コネクタスライド台４３の長さ（１段目の端面２３ａから２段目の端面２３ｂまでの長さ）は、コネクタアダプタ２１に差し込み接続された相手方光コネクタ１５の、コネクタアダプタ２１からの突出長さとほぼ同じになっている。
【００２５】
このような構成にすると、全部のコネクタアダプタ２１が正面から目視できるため、相手方光コネクタ１５の接続作業を容易に行える。また２段目のコネクタアダプタ２１に相手方光コネクタ１５を差し込むときは、相手方光コネクタ１５をコネクタスライド台４３に押し付けながらスライドさせることにより、差し込むことができる。また２段目のコネクタアダプタ２１から相手方光コネクタ１５を引き抜くときも、相手方光コネクタ１５をコネクタスライド台４３に押し付けながらスライドさせることにより、引き抜くことができる。つまり、相手方光コネクタ１５を手指で摘むことなく、相手方光コネクタ１５の一面に手指で力を加えることにより相手方光コネクタ１５を挿抜することが可能となる。このため、コネクタアダプタ２１の間隔を十分狭くしても相手方光コネクタ１５の挿抜が可能となる。
【００２６】
また、コネクタスライド台４３の手前で相手方光コネクタ１５が２段目のコネクタアダプタ２１に差し込み接続されている状態で、その裏側のコネクタアダプタ２１に相手方光コネクタ１５を挿抜するときは、手前側の光コネクタ１５の後端付近の光ケーブル１７（又はゴムブーツ）の両側から（要するに光コネクタ１５よりも細い部分の両側から）、その裏側の相手方光コネクタ１５を手指で摘んで挿抜を行うことができる。このため手前側の（コネクタスライド台４３上の）相手方光コネクタ１５の間に手指を差し込む必要がないので、コネクタアダプタを同じ端面に２列に配列する場合よりもコネクタアダプタ２１の間隔を狭くすることができ、光コネクタ配列ケース２５を小型化できる。
【００２７】
図３及び図４の例は、ケース本体２３の、待ち受け光コネクタ１１のコネクタアダプタ２１が配列される下端面が２段の場合であるが、３段の場合も同様である。
【００２８】
また、ケース本体２３の待ち受け光コネクタ配列方向の片側（図３（Ａ）で右側）には、入力側光コネクタ５及びコネクタアダプタ１９が組み込まれている。入力側光コネクタ５には、コネクタアダプタ１９を介して、局側光ケーブル１の先端に取り付けられた局側光コネクタ３が接続される。またケース本体２３の入力側光コネクタ５及びコネクタアダプタ１９が組み込まれた部分には、下方に伸びる脚部４５が一体に形成され、その下端には把持部４７が形成されている。局側光ケーブル１は、この把持部４７に保持され、保護されるようになっている。
【００２９】
次に図５を参照して固定板３９を説明する。固定板３９は、上下に細長い板状部４９の正面（前面）の上部に横方向に軸部５１を一体に形成したものである。軸部５１は両端で板状部４９と一体化されている。板状部４９の正面下半部には、一対の固定板側係合部５３が突設されている。また板状部４９には固定板３９を壁等の取付面にねじ止めするためのねじ穴５５が形成されている。
【００３０】
次に図６を参照してケースホルダー３７を説明する。ケースホルダー３７は、前記光コネクタ配列ケース２５の背面に当接する背面板５７と、前記光コネクタ配列ケース２５の一方（入力側光コネクタ５側）の側面に当接する側面板５９と、前記光コネクタ配列ケース２５の上端面に当接する上面板６１と、前記光コネクタ配列ケース２５の他方の側面側を抱え込む、先端に係止爪６３ａを有する弾性係止片６３とを一体に形成したものである。
【００３１】
上面板６１の背面側の縁には、前記固定板３９の軸部５１と回動可能にかつ着脱可能に係合する第一の軸受部６５が形成され、上面板６１の一方の側面側の縁にも、前記固定板３９の軸部５１と回動可能にかつ着脱可能に係合する第二の軸受部６７が形成されている。第一の軸受部６５は背面側に開口する断面略Ｃ字形であり、第二の軸受部６７は一方の側面側に開口する断面略Ｃ字形である。
【００３２】
また、背面板５７の背面（外面）には一対のホルダー側第一係合部６９が突設され、側面板５９の外側面には一対のホルダー側第二係合部７１が突設されている。また、背面板５７の背面には二つの磁石７３と三つのゴム部品７５が取り付けられている。二つの磁石７３は前記固定板３９の取付領域（第一の軸受部６５及びホルダー側第一係合部６９をカバーする領域）の両側に一つずつ配置され、三つのゴム部品７５は前記取付領域の片側に一つ、反対側に二つ配置されている。ゴム部品７５の頂部は、磁石７３の表面より僅かに突出させてある。これはケースホルダー３７を磁石７３で磁性金属板よりなる取付面に取り付けたときに、ゴム部品７５が取付面に押し付けられて滑り止めとなるようにするためである。
【００３３】
また、側面板５９の内側面下部には、ケースホルダー３７に装着された光コネクタ配列ケース２５が下方へずり落ちるのを阻止するストッパー７７が突設されている。また、側面板５９の内側面上部には、ケースホルダー３７に装着された光コネクタ配列ケース２５が正面側へ抜け出すのを防止する抜け出し防止片７９が形成されている。さらに背面板５７には、その背面に固定板３９を取り付けたまま、固定板３９を取付面にねじ止めできるように、固定板３９のねじ穴５５に対応する位置に大穴８１が形成されている。
【００３４】
図７（Ａ）、（Ｂ）は固定板３９にケースホルダー３７の背面側を取り付ける過程を示す。まず（Ａ）に示すように、ケースホルダー３７の背面側を固定板３９の正面と対向させ、固定板３９の軸部５１にケースホルダー３７の第一の軸受部６５を装着する。すると（Ｂ）のようになり、ケースホルダー３７は、固定板３９に、軸部５１を中心として回動可能に取り付けられる。その後、ケースホルダー３７の背面に突出するホルダー側第一係合部６９（図６参照）を、固定板３９の固定板側係合部５３と係合させると、ケースホルダー３７の自由な回動が制限され仮止めされた状態となる。
【００３５】
なお、固定板３９にケースホルダー３７の側面側を取り付ける場合は、固定板３９の軸部５１にケースホルダー３７の第二の軸受部６７を装着した後、ケースホルダー３７の側面に突出するホルダー側第二係合部７１を、固定板３９の固定板側係合部５３と係合させればよい。
【００３６】
図１は、取付面４１にねじ止め等により固定した固定板３９にケースホルダー３７を組付けた（又は図７（Ｂ）のようにケースホルダー３７を組み付けた固定板３９を取付面４１にねじ止め等により固定した）後、ケースホルダー３７に光コネクタ配列ケース２５を組み付けた状態を示している。光コネクタ配列ケース２５は、（図１（Ａ）において）その右側上部を抜け出し防止片７９の内側に差し込むようにして、上端面をケースホルダー３７の上面板６１に当接させた後、左側をケースホルダー３７の背面板５７に向けて押し込むと、弾性係止片６３がいったん外側へ弾性変形した後、元に戻って、係止爪６３ａがケース本体２３の正面側の縁に引っ掛かり、さらにケースホルダー３７のストッパー７７（図６参照）がケース本体２３の下端面の一部を支持するため、ケースホルダー３７に保持される。
【００３７】
図１の状態では、固定板３９の固定板側係合部５３とケースホルダー３７のホルダー側第一係合部６９とが係合しているため、光コネクタ配列ケース２５は自由に回動することはできず、そのままの姿勢に保持される。この状態では各光コネクタのコネクタアダプタ１９、２１の開口が下向きになっている。この状態が相手方光コネクタの着脱作業を行わない待機状態である。
【００３８】
図１の状態で、光コネクタ配列ケース２５を手前側に強めに引くと、固定板３９の固定板側係合部５３とケースホルダー３７のホルダー側第一係合部６９との係合が外れる（両係合部５３、６９の係合はこの程度の軽い係合になっている）。このため、光コネクタ配列ケース２５は、図２に示すように、固定板３９の軸部５１を中心として下部が手前側に引き出されるように回動する。この状態になれば、作業者は各光コネクタのコネクタアダプタ１９、２１（接続口）を目視で確認できるため、相手方光コネクタの着脱作業を容易に行うことができる。光コネクタ着脱作業終了後は、図１の待機状態に戻しておく。なお図１及び図２では、コネクタアダプタ１９、２１に防塵用の栓８３が装着されている。相手方光コネクタを接続するときは栓８３を取り外して接続作業を行う。
【００３９】
図１の取付状態は、奥行きスペースを広く必要としないので、奥行きが浅い所（奥行き寸法が小さい配電盤など）に光コネクタ配列ケースを設置するのに適している。
【００４０】
しかし図１の取付状態は、横方向に光コネクタ配列ケース２５の正面幅寸法よりも大きいスペースが必要となるので、横方向（左右）の設置スペースが狭い場合には設置することができない。その場合は、図８に示すように、固定板３９にケースホルダー３７の側面を組み付ければよい。すなわち、固定板３９の軸部５１（図５参照）に、ケースホルダー３７の第二の軸受部６７（図６参照）を装着し、さらに固定板３９の固定板側係合部５３に、ケースホルダー３７のホルダー側第二係合部７１を係合させるのである。このようにすると、光コネクタ配列ケース２５が、その正面を取付面４１に対し直角方向に向けた状態で取り付けられるため、横方向の設置スペースが狭い場合でも取付可能である。図８は、相手方光コネクタの着脱作業を行わない待機状態である。
【００４１】
図８の状態で、光コネクタ配列ケース２５を手前側に強めに引くと、固定板３９の固定板側係合部５３とケースホルダー３７のホルダー側第二係合部７１との係合が外れる。このため、光コネクタ配列ケース２５は、図９に示すように、固定板３９の軸部５１を中心として下部が手前側に引き出されるように回動する。この状態になれば、作業者は各光コネクタのコネクタアダプタ１９、２１（接続口）を目視で確認できるため、相手方光コネクタの着脱作業を容易に行うことができる。光コネクタ着脱作業終了後は、図８の待機状態に戻しておく。
【００４２】
ところで、図１に示すように、固定板３９にケースホルダー３７の背面側を組み付けた状態では、固定板３９を取付面４１にねじ止め等により固定することもできるし、取付面４１が磁性金属板で構成されていれば、ケースホルダー３７を磁石７３により取付面４１に取り付けることもできる。この両方の取付方に対応できるようにするため、固定板３９の固定板側係合部５３と、ケースホルダー３７のホルダー側第一係合部６９は、図１０のような関係になるように形成されている。一対の固定板側係合部５３の先端部にはそれぞれ丸みのある膨出部８５が内向きに形成され、一対のホルダー側第一係合部６９の先端部にはそれぞれ丸みのある膨出部８７が外向きに形成されている。
【００４３】
図１０（Ａ）は、固定板３９にケースホルダー３７の背面側を組み付けるため、固定板３９の固定板側係合部５３と、ケースホルダー３７のホルダー側第一係合部６９を対向させた状態である。この状態からケースホルダー３７を固定板３９に接近させて行くと、まず固定板側係合部５３の先端膨出部８５とホルダー側第一係合部６９の先端膨出部８７が接触し、さらに接近させると（Ｂ）のように固定板側係合部５３の先端膨出部８５とホルダー側第一係合部６９の先端膨出部８７が係合した状態となる。これでケースホルダー３７は簡単には引き戻せないように固定板３９に仮止めされた状態となるが、さらに（Ｃ）の状態になるまで押し込むことが可能になっている。つまり、固定板側係合部５３とホルダー側第一係合部６９は互いに係合した状態で（Ｂ）と（Ｃ）の間を往復できるように遊びをもたせてある。この遊びにより、固定板３９の背面が各ゴム部品７５の頂部を結ぶ平面よりも内側に入ったり（図１０（Ｃ）の状態）、外側に出たり（図１０（Ｂ）の状態）することができるようになっている。
【００４４】
このようにすると、ケースホルダー３７の取付面への取付を固定板３９により行うときは、（Ｂ）のように固定板３９の背面が各ゴム部品７５の頂部を結ぶ平面よりも外側に出て、固定板３９の取付面への固定をゴム部品７５の出っ張りとは関係なく確実に行うことができる。また、ケースホルダー３７の取付面への取付を磁石により行うときは、（Ｃ）のように固定板３９の背面が各ゴム部品７５の頂部を結ぶ平面よりも内側に引っ込んで、固定板３９をケースホルダー３７の裏面に取り付けたままで磁石による取付を行うことができる。
【００４５】
次に、図１１を参照して、固定板の軸部５１と、ケースホルダーの第一の軸受部６５の好ましい形を説明する（ここでは第一の軸受部６５を説明するが、第二の軸受部６７も同様である）。図１１に示すように、固定板の軸部５１は断面小判形（外周面が平行な２平面と中心軸線同一の２つの円弧面とで構成される形）に形成され、ケースホルダー３７の軸受部６５は、断面小判形の軸部５１の長径部に相応する内径を有し、かつ断面小判形の軸部５１の長径部は通過できないが、短径部は通過できる幅の開口８９を有するように形成されていることが好ましい。
【００４６】
図１１（Ａ）は軸受部６５を軸部５１に装着するために開口８９が軸部５１の平行面と同方向を向くようにケースホルダー３７を傾けた状態を示し、（Ｂ）はその後、軸受部６５を、軸部５１の平行面を横切る方向に移動させて、軸部５１に装着した状態を示し、（Ｃ）はその後、ケースホルダー３７を、背面が取付面と平行になるように回動させた状態を示す。（Ｃ）の状態になると、軸受部６５が軸部５１から外れるおそれはなくなる。また、ケースホルダー３７を回動させるときも、（Ｂ）の状態のときにケースホルダー３７を斜め上方向に引き上げる力を加えない限り、軸受部６５が軸部５１から外れるおそれはなく、円滑な回動動作を確保することができる。
【００４７】
なお、図２のように光コネクタ配列ケース２５を傾けて相手方光コネクタの着脱作業を行うときは、取付面４１に対する光コネクタ配列ケース２５の背面の角度は30°〜90°の範囲（通常は45°前後）になるので、少なくともこの範囲の角度ではケースホルダー３７の第一の軸受部６５が固定板３９の軸部５１から外れないようにする必要がある。そのためには、固定板３９の正面に対するケースホルダー３７の背面の角度が10°〜20°のときに、軸受部６５と軸部５１が図１１（Ａ）、（Ｂ）のように着脱できるようにすることが好ましい。
【００４８】
なお、この実施例では、固定板３９に軸部５１を形成し、ケースホルダー３７に第一の軸受部６５、第二の軸受部６７を形成したが、これとは逆に、固定板に軸受部を形成し、ケースホルダーに第一の軸部、第二の軸部を形成してもよい。
【００４９】
＜実施例２＞  図１２及び図１３は本発明に係る取付部材を備えた光コネクタ配列ケースの他の実施例を示す。図１２及び図１３は実施例１の図１及び図２に対応している。この実施例が実施例１と異なる点は、ケースホルダーを省略して、固定板３９に光コネクタ配列ケース２５を直接取り付けるようにしたことである。このため、光コネクタ配列ケース２５のケース本体２３には、図６に示したケースホルダー３７と同様に、第一の軸受部６５、第二の軸受部６７、ケース側第一係合部６９、ケース側第二係合部７１が形成され、磁石７３（図示省略）、ゴム部品７５が取り付けられている。固定板３９は図５に示したものと同じである。
【００５０】
図１２は、取付面４１にねじ止め等により固定した固定板３９に光コネクタ配列ケース２５の背面を組み付けた状態を示している。光コネクタ配列ケース２５は、第一の軸受部６５を固定板３９の軸部５１に装着し、ケース側第一係合部６９を固定板３９の固定板側係合部５３と係合させることで、固定板３９に組み付けられている。
【００５１】
図１２の状態では、固定板３９の固定板側係合部５３と光コネクタ配列ケース２５のケース側第一係合部６９とが係合しているため、光コネクタ配列ケース２５は自由に回動することはできず、そのままの姿勢に保持される。この状態では各光コネクタのコネクタアダプタ１９、２１の開口が下向きになっている。この状態が相手方光コネクタの着脱作業を行わない待機状態である。
【００５２】
図１２の状態で、光コネクタ配列ケース２５を手前側に強めに引くと、固定板３９の固定板側係合部５３と光コネクタ配列ケース２５のケース側第一係合部６９との係合が外れる。このため、光コネクタ配列ケース２５は、図１３に示すように、固定板３９の軸部５１を中心として下部が手前側に引き出されるように回動する。この状態になれば、作業者は各光コネクタのコネクタアダプタ１９、２１（接続口）を目視で確認できるため、相手方光コネクタの着脱作業を容易に行うことができる。光コネクタ着脱作業終了後は、図１２の待機状態に戻しておく。図１２の取付状態は、奥行きスペースを広く必要としないので、奥行きが浅い所（奥行き寸法が小さい配電盤など）に光コネクタ配列ケースを設置するのに適している。
【００５３】
しかし図１２の取付状態は、横方向に光コネクタ配列ケース２５の正面幅寸法よりも大きいスペースが必要となるので、横方向（左右）の設置スペースが狭い場合には設置することができない。その場合は、図１４に示すように、固定板３９に光コネクタ配列ケース２５の側面を組み付ければよい。すなわち、固定板３９の軸部５１（図５参照）に、光コネクタ配列ケース２５の第二の軸受部６７を装着し、固定板３９の固定板側係合部５３に、光コネクタ配列ケース２５のケース側第二係合部７１を係合させるのである。このようにすると、光コネクタ配列ケース２５が、その正面を取付面４１に対し直角方向に向けた状態で取り付けられるため、横方向の設置スペースが狭い場合でも取付可能である。図１４は、相手方光コネクタの着脱作業を行わない待機状態である。
【００５４】
図１４の状態で、光コネクタ配列ケース２５を手前側に強め引くと、固定板３９の固定板側係合部５３と光コネクタ配列ケース２５のケース側第二係合部７１との係合が外れる。このため、光コネクタ配列ケース２５は、図１５に示すように、固定板３９の軸部５１を中心として下部が手前側に引き出されるように回動する。この状態になれば、作業者は各光コネクタのコネクタアダプタ１９、２１（接続口）を目視で確認できるため、相手方光コネクタの着脱作業を容易に行うことができる。光コネクタ着脱作業終了後は、図１４の待機状態に戻しておく。
【００５５】
なお、この実施例では、固定板３９に軸部５１を形成し、ケース本体２３に第一の軸受部６５、第二の軸受部６７を形成したが、これとは逆に、固定板に軸受部を形成し、ケース本体に第一の軸部、第二の軸部を形成してもよい。
また、固定板側係合部及びケース側係合部を図１０のように形成することが好ましいこと、軸部及び軸受部を図１１のように形成することが好ましいことは実施例１と同じである。
【符号の説明】
【００５６】
１：局側光ケーブル
３：局側光コネクタ
５：入力側光コネクタ
７：入力側光ファイバ心線
９：光スプリッタ
１１：出力側光ファイバ心線
１３：待ち受け光コネクタ
１５：相手方光コネクタ
１７：加入者側光ケーブル
１９、２１：コネクタアダプタ
２３：ケース本体
２５：光コネクタ配列ケース
３７：ケースホルダー
３９：固定板
４１：取付面
４９：板状部
５１：軸部
５３：固定板側係合部
５７：背面板
５９：側面板
６１：上面板
６３：弾性係止片
６５：第一の軸受部
６７：第二の軸受部
６９：ホルダー側（ケース側）第一係合部
７１：ホルダー側（ケース側）第二係合部
７３：磁石
７５：ゴム部品
７７：ストッパー
７９：抜け出し防止片
８５、８７：膨出部
８９：開口
【図１】
2011248099.tif 000003
【図２】
2011248099.tif 000004
【図３】
2011248099.tif 000005
【図４】
2011248099.tif 000006
【図５】
2011248099.tif 000007
【図６】
2011248099.tif 000008
【図７】
2011248099.tif 000009
【図８】
2011248099.tif 000010
【図９】
2011248099.tif 000011
【図１０】
2011248099.tif 000012
【図１１】
2011248099.tif 000013
【図１２】
2011248099.tif 000014
【図１３】
2011248099.tif 000015
【図１４】
2011248099.tif 000016
【図１５】
2011248099.tif 000017
【図１６】
2011248099.tif 000018
【図１７】
2011248099.tif 000019